(57)【要約】    【課題】ヒンジ手段による枢着構造を採用しながらも、ガラス扉及び開閉扉の自由端側の垂れ下がりを防止できると共に、簡単な構造で容易に実施できるようにする。    【解決手段】左右一端側の上下複数のヒンジ手段１５〜１８により上扉１３と下扉１４とを扉装着枠３に開閉自在に枢着する。扉装着枠３には上扉１３用の最下側のヒンジ手段１６と、下扉１４用の最上側のヒンジ手段１７とに共通の支持ブラケット３６を扉装着枠３に固定し、この支持ブラケット３６の上下両側の略同一軸心上に、最下側のヒンジ手段１６と最上側のヒンジ手段１７とのヒンジ中心を配置し、上扉１３及び下扉１４は鉛直方向の加重が加わらない状態のときに自由端側が高くなっている。【選択図】図７
2011005123.tif 000002
【特許請求の範囲】
【請求項１】
左右一端側の上下複数のヒンジ手段（１５〜１８）により上扉（１３）と下扉（１４）とを扉装着枠（３）に開閉自在に枢着した遊技機において、前記上扉（１３）用の最下側のヒンジ手段（１６）と、前記下扉（１４）用の最上側のヒンジ手段（１７）とに共通の支持ブラケット（３６）を前記扉装着枠（３）に固定し、該支持ブラケット（３６）の上下両側の略同一軸心上に、前記最下側のヒンジ手段（１６）と前記最上側のヒンジ手段（１７）とのヒンジ中心を配置し、前記上扉（１３）及び前記下扉（１４）は鉛直方向の加重が加わらない状態のときに自由端側が高くなっていることを特徴とする遊技機。
【請求項２】
前記上扉（１３）用の上下一対のヒンジ手段（１５，１６）と前記下扉（１４）用の上下一対のヒンジ手段（１７，１８）とを備え、前記各扉（１３，１４）用の上側のヒンジ手段（１５，１７）の前記各扉（１３，１４）側の回動ブラケット（３８，４０）のヒンジ中心を前記各扉（１３，１４）用の下側のヒンジ手段（１６，１８）の前記各扉（１３，１４）側の回動ブラケット（３９，４１）のヒンジ中心よりも、前記各扉（１３，１４）用の上下のヒンジ手段（１５，１６）、（１７，１８）の遊び量と鉛直方向の加重による各扉（１３，１４）の撓み量とに見合う寸法だけ前記各扉（１３，１４）に対して自由端側に偏位して配置したことを特徴とする請求項１に記載の遊技機。
【請求項３】
前記各扉（１３，１４）用の各ヒンジ手段（１５，１６）、（１７，１８）の前記前枠（３）に固定された支持ブラケット（３５，３６，３７）のヒンジ中心を前記前枠（３）に対して上下方向の略同一軸心上に配置したことを特徴とする請求項２に記載の遊技機。
【請求項４】
前記上扉（１３）用の下側のヒンジ手段（１６）の回動ブラケット（３９）のヒンジ中心と、前記下扉（１４）用の上側のヒンジ手段（１７）の回動ブラケット（４０）のヒンジ中心は左右方向の略同一位置にあることを特徴とする請求項２又は３に記載の遊技機。
【請求項５】
前記共通の支持ブラケット（３６）は略同一軸心上で上下両側に突出するヒンジ軸（３６ａ）を有することを特徴とする請求項１〜４の何れかに記載の遊技機。
【請求項６】
前記上扉（１３）用の上下一対のヒンジ手段（１５，１６）のうち、上側の前記ヒンジ手段（１５）はヒンジ孔（３５ａ）が形成された前枠（３）側の支持ブラケット（３５）と、該ヒンジ孔（３５ａ）に下側から嵌合する前記上扉（１３）側のヒンジ軸（３８ａ）とを有し、前記下扉（１４）用の上下一対のヒンジ手段（１７，１８）のうち、下側の前記ヒンジ手段（１８）はヒンジ孔（３７ａ）が形成された前記前枠（３）側の支持ブラケット（３７）と、該ヒンジ孔（３７ａ）に上側から嵌合する前記下扉（１４）側のヒンジ軸（４１ａ）とを有することを特徴とする請求項５に記載の遊技機。
【発明の詳細な説明】
【技術分野】
【０００１】
本発明は、パチンコ機、アレンジボール機、スロットマシン等の遊技機に関するものである。
【背景技術】
【０００２】
遊技機、例えばパチンコ機等の弾球遊技機では、外枠に開閉自在に枢着された前枠に、遊技盤が着脱自在に装着された遊技盤装着枠と、この遊技盤装着枠に下側に配置され且つ前面に発射手段等が配置された下セット板とを備え、遊技盤の遊技領域を視認可能に覆うガラス扉を遊技盤の前面に、発射用の遊技球を貯留する貯留皿等を有する開閉扉を下セット板の前面に夫々開閉自在に配置している。ガラス扉、開閉扉は、前枠を外枠に開閉自在に枢支するヒンジ手段と同一側に配置された左右一端側の上下一対のヒンジにより、前枠に対して開閉自在に枢支されている（特許文献１）。
【０００３】
このようにガラス扉、開閉扉の左右一端側を上下一対のヒンジ手段により前枠に開閉自在に枢着する場合、ガラス扉、開閉扉の自由端側に垂れ下がりが生じ、ガラス扉、開閉扉を円滑に開閉できない問題がある。
【０００４】
即ち、ガラス扉用、開閉扉用の各ヒンジ手段は、支持ブラケット又は回動ブラケットに設けられたヒンジ軸を、回動ブラケット又は支持ブラケットに設けられたヒンジ孔に回動自在に嵌合させる構造を採用しており、そのヒンジ軸とヒンジ孔との間に必ず所定の遊び（隙間）がある。
【０００５】
一方、近年の弾球遊技機では、遊技盤の遊技領域の大型化に伴ってガラス扉が大型化する上に、ガラス扉の上部両側に演出用のスピーカが装着されると共に、遊技領域の周辺に多数の演出用のランプ等が装着され、また開閉扉には前面に遊技球の貯留皿が装着される他、自由端側に発射ハンドルが設けられる等、ガラス扉及び開閉扉の自由端側に加わる垂直重量が増加する傾向にある。
【０００６】
従って、ガラス扉、開閉扉が開放状態のときには、ガラス扉、開閉扉を左右一端側の上下一対のヒンジ手段により片持ち状に支持することになるため、各ヒンジ手段の遊びと各扉の自重による撓みによってガラス扉、開閉扉の自由端側が垂れ下がり気味となり、ガラス扉、開閉扉の開閉、取り分けガラス扉、開閉扉の閉鎖が困難になる問題がある。
【０００７】
弾球遊技機においては、上下一対のヒンジ手段により開閉自在に枢支される前枠の場合に同様の問題があり、その対策として、従来、前枠の下端縁及び／又は前枠を下側から受ける外枠側の前下枠板の上端縁を傾斜状に形成して、前枠に鉛直方向の加重が加わった状態のときに両者が略平行になるようにしたものがある（特許文献２）。
【先行技術文献】
【特許文献】
【０００８】
【特許文献１】特開２００９−２７３号公報
【特許文献２】特開平１０−３３７８３号公報
【発明の概要】
【発明が解決しようとする課題】
【０００９】
ガラス扉と開閉扉との関係においても、特許文献２に記載の場合と同様にガラス扉の下端縁及び／又は開閉扉の上端縁を傾斜状に構成することが考えられる。
【００１０】
しかし、ガラス扉、開閉扉は通常略矩形状であるが、ガラス扉の下端縁及び／又は開閉扉の上端縁を傾斜状に構成する場合には、ガラス扉及び／又は開閉扉を特殊な形状にする必要があり、しかも両者の自由端側が垂れ下がることを考慮してその下端縁及び／又は上端縁の角度を決定しなければならず、ガラス扉及び開閉扉の製作が困難になるという新たな問題が生じる。なお、弾球遊技機以外の遊技機においても同様の問題がある。
【００１１】
本発明は、このような従来の問題点に鑑み、ヒンジ手段による枢着構造を採用しながらも、ガラス扉及び開閉扉の自由端側の垂れ下がりを防止できると共に、簡単な構造で容易に実施できる遊技機を提供することを目的とする。
【課題を解決するための手段】
【００１２】
本発明は、左右一端側の上下複数のヒンジ手段１５〜１８により上扉１３と下扉１４とを扉装着枠３に開閉自在に枢着した遊技機において、前記上扉１３用の最下側のヒンジ手段１６と、前記下扉１４用の最上側のヒンジ手段１７とに共通の支持ブラケット３６を前記扉装着枠３に固定し、該支持ブラケット３６の上下両側の略同一軸心上に、前記最下側のヒンジ手段１６と前記最上側のヒンジ手段１７とのヒンジ中心を配置し、前記上扉１３及び前記下扉１４は鉛直方向の加重が加わらない状態のときに自由端側が高くなっている。
【発明の効果】
【００１３】
本発明によれば、ヒンジ手段１５〜１８による枢着構造を採用しながらも、上扉１３及び下扉１４の自由端側の垂れ下がりを防止できると共に、簡単な構造で容易に実施できる利点がある。
【図面の簡単な説明】
【００１４】
【図１】本発明の第１の実施形態を示すパチンコ機の正面図である。
【図２】遊技機本体の分解斜視図である。
【図３】各ヒンジ手段の正面断面図である。
【図４】各ヒンジ手段側を破断した遊技機本体の側面図である。
【図５】（ａ）は外枠側ヒンジ手段の説明図、（ｂ）は前枠側のヒンジ手段の説明図である。
【図６】（ａ）は前枠側ヒンジ手段の説明図、（ｂ）はガラス扉側及び開閉扉側のヒンジ手段の説明図である。
【図７】各ヒンジ手段の当接状態の説明図である。
【図８】（ａ）は図７のａ矢視図、（ｂ）は図７のｂ矢視図、（ｃ）は図７のｃ矢視図、（ｄ）は図７のｄ矢視図である。
【図９】本発明の第２の実施形態を例示し、（ａ）は前枠側ヒンジ手段の説明図、（ｂ）はガラス扉側及び開閉扉側のヒンジ手段の説明図である。
【図１０】本発明の第３の実施形態を例示し、（ａ）は前枠側ヒンジ手段の説明図、（ｂ）はガラス扉側及び開閉扉側のヒンジ手段の説明図である。
【図１１】本発明の第４の実施形態を例示し、（ａ）は前枠側ヒンジ手段の説明図、（ｂ）はガラス扉側及び開閉扉側のヒンジ手段の説明図である。
【発明を実施するための形態】
【００１５】
以下、本発明の実施形態を図面に基づいて詳述する。図１〜図８は本発明をパチンコ機に採用した第１の実施形態を例示する。パチンコ機は図１、図２に示すように遊技機本体１を有し、この遊技機本体１は矩形状の外枠２と、外枠２の前面側に着脱、開閉自在に枢着された前枠３とを備えている。
【００１６】
外枠２はその前面側の下端部に左右方向に配置された前下枠板４を有し、この前下枠板４上に前枠３が配置されている。前枠３は合成樹脂製であって、外枠２の前面側に当接する矩形状の枠部５と、この枠部５の内側上部に配置された遊技盤装着枠６と、この遊技盤装着枠６の下側で枠部５の内側下部に配置された下セット板７とを一体に備え、枠部５の左右一端側が上下複数個、例えば上下一対のヒンジ手段８，９により外枠２に着脱、開閉自在に枢着されている。
【００１７】
遊技盤装着枠６には前側から遊技盤１０が着脱自在に装着され、また下セット板７には左右の略中央に発射手段１１が装着され、その右側に下部スピーカ１２が配置されている。なお、遊技盤１０は遊技盤装着枠６に裏側から着脱自在に装着してもよい。
【００１８】
遊技板１０の前面には、発射手段１１から発射された遊技球を案内する外ガイドレール２９ａが略円弧状に配置されると共に、そのガイドレール２９ａの内側の遊技領域１０ａに画像表示手段２９ｂ、特別図柄始動手段２９ｃ、大入賞手段２９ｄ、普通図柄始動手段２９ｅ、普通入賞手段２９ｆ等の各種の遊技部品が配置されている。
【００１９】
前枠３には遊技盤１０の前面側に配置されたガラス扉１３と、下セット板７の前面側に配置された開閉扉１４とが上下に近接して装着され、前枠３用のヒンジ手段８，９と同一側に配置された上下複数、例えば上下一対のヒンジ手段１５，１６、１７，１８により着脱、開閉自在に枢支されている。なお、この実施形態では、ガラス扉１３が上扉を、開閉扉１４が下扉を夫々構成し、これらに対して前枠３が扉装着枠を構成している。
【００２０】
ガラス扉１３は遊技盤１０を前面側から覆う縦長矩形状であって、遊技盤１０の遊技領域１０ａを透視可能な窓孔１９を有する例えば板金製の扉枠２０と、この扉枠２０の前側に装着された合成樹脂製の化粧カバー２１と、扉枠２０の裏側に装着されたガラスユニット２２とを備え、前枠３の前面側に閉じたときに、扉枠２０の外縁側が枠部５の前側に略当接し、ガラスユニット２２がその内側に嵌合する。
【００２１】
ガラス扉１３の上部の左右両側には上部スピーカ２３が装着され、また化粧カバー２１には遊技領域１０ａの外周に対応して適宜発光ランプが設けられている。ガラスユニット２２は前後二枚のガラス板を外周の保持枠で保持してなり、扉枠２０の裏側に着脱自在に装着されている。
【００２２】
開閉扉１４には下セット板７を前面側から覆う横長矩形状であって、板金製の支持板２４と、この支持板２４の前側に装着された合成樹脂製の化粧カバー２５とを備え、発射手段１１に供給するための遊技球を貯留する供給皿２８と、発射手段１１を作動させるための発射ハンドル２６とが前側に設けられ、また裏側には発射手段１１の発射動作に連動して、供給皿２８からの遊技球を１個ずつ発射手段１１に送るための球送り手段２７が設けられている。
【００２３】
なお、閉状態では前枠３は外枠２に対して、ガラス扉１３、開閉扉１４は前枠３に対して夫々施錠手段（図示省略）により施錠可能である。ガラス扉１３、開閉扉１４は閉状態では前枠３に対して前面側から当接する。開閉扉１４の上端には前向きに開放する凹溝１４ａが設けられ、またガラス扉１３の下端には開閉扉１４を閉じてから、このガラス扉１３を閉じたときに、開閉扉１４の凹溝１４ａに対して前から嵌脱自在に嵌合する屈曲縁１３ａが設けられている。凹溝１４ａは開閉扉１４の左右方向の略全長に、屈曲縁１３ａはガラス扉１３の左右方向の略全長に夫々設けられている。
【００２４】
前枠３用のヒンジ手段８，９は、図３、図４に示すように前枠３の前面よりも前側に回動中心を有し、その回動中心廻りに前枠３が回動するようになっている。ガラス扉１３用及び開閉扉１４用の上下一対のヒンジ手段１５，１６、１７，１８も、図３、図４に示すように前枠３用のヒンジ手段８，９と同様に前枠３の前面よりも前側に回動中心を有し、その回動中心廻りにガラス扉１３及び開閉扉１４が回動するようになっている。
【００２５】
各ヒンジ手段８，９、１５，１６、１７，１８の回動中心は前枠３の前側の略同一軸心上又はその近傍にあり、前枠３、ガラス扉１３及び開閉扉１４は鉛直方向の加重が加わらない状態のときに夫々の自由端が高くなり、鉛直方向の加重が加わったときに夫々が略水平となるように構成されている。
【００２６】
前枠３用の上下一対のヒンジ手段８，９は図３、図４に示すように、外枠２側に固定された支持ブラケット３０，３１と、前枠３側に固定された回動ブラケット３２，３３とを有し、その支持ブラケット３０，３１により回動ブラケット３２，３３を下側から支えるようになっている。上側のヒンジ手段８は支持ブラケット３０にヒンジ孔３０ａが、回動ブラケット３２に下向きに突出してヒンジ孔３０ａに回動自在に嵌合するヒンジ軸３２ａが夫々設けられている。また下側のヒンジ手段９は支持ブラケット３１に上向きに突出するヒンジ軸３１ａが、回動ブラケット３３にヒンジ軸３１ａが回動自在に嵌合するヒンジ孔３３ａが夫々設けられている。
【００２７】
そして、前枠３用の上下のヒンジ手段８，９は、図５の（ａ）に示すように、支持ブラケット３０，３１側のヒンジ中心であるヒンジ孔３０ａ、ヒンジ軸３１ａが外枠２に対して上下方向の略同一軸心（略同一鉛直線）上に配置され、また図５の（ｂ）に示すように、上側の回動ブラケット３２のヒンジ中心であるヒンジ軸３２ａが、下側の回動ブラケット３３のヒンジ中心であるヒンジ孔３３ａよりも前枠３の自由端側へと偏位量Ａ１だけ偏位して配置されている。この偏位量Ａ１は、上下のヒンジ手段８，９の遊び量と前枠３に鉛直方向の加重が加わったときの前枠３の撓み量に見合う寸法に設定されている。
【００２８】
なお、上下の回動ブラケット３２，３３のヒンジ中心であるヒンジ軸３２ａ、ヒンジ孔３３ａを前枠３に対して略同一軸心上に配置し、上側の支持ブラケット３０のヒンジ中心であるヒンジ孔３０ａを、下側の支持ブラケット３１のヒンジ中心であるヒンジ軸３１ａよりも外枠２に対して反自由端側へと偏位量Ａ１だけ偏位して配置してもよい。また両者を折衷して、上側の支持ブラケット３０のヒンジ中心を下側の支持ブラケット３１のヒンジ中心よりも反自由端側に、上側の回動ブラケット３２のヒンジ中心を下側の回動ブラケット３３のヒンジ中心よりも自由端側に夫々偏位させてもよい。
【００２９】
図３、図４に示すように、ガラス扉１３用の上下一対のヒンジ手段１５，１６は、前枠３側に固定された支持ブラケット３５，３６と、各ガラス扉１３側に固定された回動ブラケット３８，３９とを有し、また開閉扉１４用の上下一対のヒンジ手段１７，１８は、前枠３側に固定された支持ブラケット３６，３７と、開閉扉１４側に固定された回動ブラケット４０，４１とを有する。
【００３０】
ガラス扉１３用の下側のヒンジ手段１６と開閉扉１４用の上側のヒンジ手段１７との支持ブラケット３６は共通になっており、この共通の支持ブラケット３６の先端部には上下方向の略同一軸心上で上下両側に突出するヒンジ軸３６ａが設けられている。
【００３１】
なお、ガラス扉１３用の上下一対のヒンジ手段１５，１６の回動ブラケット３８，３９は、扉枠２０の上下両端に屈曲形成されるか、扉枠２０に装着された上下方向の帯板の上下両端に屈曲形成されている。また開閉扉１４用の上下一対のヒンジ手段１７，１８の回動ブラケット４０，４１は開閉扉１４の裏側の板金製の支持板２４の上下両端に屈曲形成されている。
【００３２】
ガラス扉１３用の上側のヒンジ手段１５は、支持ブラケット３５にヒンジ孔３５ａが、回動ブラケット３８に上向きに出退自在に配置され且つ図外のバネにより突出方向に付勢されたヒンジ軸３８ａが夫々設けられ、そのヒンジ軸３８ａがヒンジ孔３５ａに嵌脱、回動自在に嵌合している。ガラス扉１３用の下側のヒンジ手段１６は、回動ブラケット３９にヒンジ孔３９ａが形成され、このヒンジ孔３９ａにヒンジ軸３６ａが嵌脱、回動自在に嵌合している。
【００３３】
開閉扉１４用の上側のヒンジ手段１７は、回動ブラケット４０にヒンジ孔４０ａが形成され、このヒンジ孔４０ａにヒンジ軸３６ａが嵌脱、回動自在に嵌合している。開閉扉１４用の下側のヒンジ手段１８は、支持ブラケット３７にヒンジ孔３７ａが、回動ブラケット４１に下向きに出退自在に支持され且つ図外のバネにより突出方向に付勢されたヒンジ軸４１ａが夫々設けられ、そのヒンジ軸４１ａがヒンジ孔３７ａに嵌脱、回動自在に嵌合している。
【００３４】
ガラス扉１３用の上下のヒンジ手段１５，１６のヒンジ中心である支持ブラケット３５，３６のヒンジ孔３５ａ及びヒンジ軸３６ａ、開閉扉１４用の上下のヒンジ手段１７，１８のヒンジ中心である支持ブラケット３６，３７のヒンジ軸３６ａ及びヒンジ孔３７ａは、図６（ａ）に示すように、前枠３に対して上下方向の略同一軸心上に配置されており、各支持ブラケット３５，３６，３７のヒンジ中心から前枠３の自由端側までの左右方向の寸法が略同一となっている。
【００３５】
一方、ガラス扉１３の上側のヒンジ手段１５の回動ブラケット３８のヒンジ中心であるヒンジ軸３８ａは、図６（ｂ）に示すように、下側のヒンジ手段１６の回動ブラケット３９のヒンジ中心であるヒンジ孔３９ａよりも偏位量Ａ２だけガラス扉１３に対して自由端側へと左右方向に偏位している。この偏位量Ａ２はガラス扉１３用の上下の各ヒンジ手段１５，１６の遊び量とガラス扉１３に鉛直方向の加重が加わったときのその撓み量とに見合う寸法である。
【００３６】
即ち、ガラス扉１３の上下の回動ブラケット３８，３９に設けられたヒンジ軸３８ａとヒンジ孔３９ａは、ガラス扉１３に対して偏位量Ａ２だけ左右方向にずれており、上側の回動ブラケット３８のヒンジ軸３８ａからガラス扉１３の自由端までの寸法が、下側の回動ブラケット３９のヒンジ孔３９ａからガラス扉１３の自由端までの寸法よりも小さくなっている。
【００３７】
また同様に開閉扉１４の上側のヒンジ手段１７の回動ブラケット４０のヒンジ中心であるヒンジ孔４０ａも、図６（ｂ）に示すように、下側のヒンジ手段１８の回動ブラケット４１のヒンジ中心であるヒンジ軸４１ａよりも偏位量Ａ３だけ自由端側へと左右方向に偏位している。その偏位量Ａ３は開閉扉１４用の上下の各ヒンジ手段１７，１８の遊び量と開閉扉１４に鉛直方向の加重が加わったときのその撓み量とに見合う寸法である。
【００３８】
従って、ガラス扉１３と同様に開閉扉１４用の上下の回動ブラケット４０，４１においても、その上側の回動ブラケット４０に設けられたヒンジ孔４０ａと下側の回動ブラケット４１に設けられたヒンジ軸４１ａは、開閉扉１４に対して偏位量Ａ３だけ左右方向にずれており、上側の回動ブラケット４０のヒンジ孔４０ａからガラス扉１３の自由端までの寸法が、下側の回動ブラケット４１のヒンジ軸４１ａからガラス扉１３の自由端までの寸法よりも小さくなっている。
【００３９】
ガラス扉１３用の下側のヒンジ手段１６の回動ブラケット３９のヒンジ中心と、開閉扉１４用の上側のヒンジ手段１７の回動ブラケット４０のヒンジ中心は左右方向の略同一位置に設けられている。
【００４０】
このような構成を採用すれば、前枠３を上下一対のヒンジ手段８，９により外枠２に開閉自在に枢着し、ガラス扉１３及び開閉扉１４を上下一対のヒンジ手段１５，１６、１７，１８により前枠３に開閉自在に枢着しているにも拘わらず、前枠３、ガラス扉１３及び開閉扉１４の自由端側の垂れ下がりを防止でき、前枠３、ガラス扉１３及び開閉扉１４を円滑に開閉することができる。しかも構造的にも簡単であり容易かつ安価に実施することができる。
【００４１】
例えば、ガラス扉１３用の上下一対のヒンジ手段１５，１６では、その各ヒンジ手段１５，１６の支持ブラケット３５，３６のヒンジ中心であるヒンジ孔３５ａ、ヒンジ軸３６ａが前枠３に対して上下方向の略同一鉛直線上に配置する一方、上側のヒンジ手段１５の回動ブラケット３８のヒンジ中心であるヒンジ軸３８ａが、上下のヒンジ手段１５，１６の遊び量とガラス扉１３側の鉛直方向の加重による撓み量とに見合う寸法Ａ２だけ、下側のヒンジ手段１６の回動ブラケット３９のヒンジ中心であるヒンジ孔３９ａよりもガラス扉１３の自由端側に偏位している。
【００４２】
従って、ガラス扉１３を開閉する際には、上下の支持ブラケット３５，３６のヒンジ孔３５ａとヒンジ軸３６ａとの中心間を結ぶ軸心を回動中心として回動するが、上側のヒンジ手段１５では図７及び図８（ａ）に示すように回動ブラケット３８のヒンジ軸３８ａの右側が支持ブラケット３５のヒンジ孔３５ａの内面に当接し、また下側のヒンジ手段１６では図７及び図８（ｂ）に示すようにその支持ブラケット３６のヒンジ軸３６ａの右側が回動ブラケット３９のヒンジ孔３９ａの内面に当接するため、上下のヒンジ手段１５，１６の遊びを吸収でき、それに伴うガラス扉１３の垂れ下がりを防止することができる。
【００４３】
またガラス扉１３は鉛直方向の加重が加わらない状態では自由端側が若干上側に持ち上がった状態となっている。そして、ガラス扉１３にその自重による鉛直方向の加重が加われば、その鉛直方向の加重による撓みにより自由端側が下がって全体が略水平状態となる。
【００４４】
このように上側のヒンジ手段１５の回動ブラケット３８のヒンジ中心をガラス扉１３の自由端側にＡ２だけ偏位させることにより、ガラス扉１３の自由端側の垂れ下がりを防止してガラス扉１３を円滑に開閉できると共に、構造的にも簡単であり容易且つ安価に実施することができる。
【００４５】
前枠３側の上下のヒンジ手段８，９、開閉扉１４側の上下のヒンジ手段１７，１８においても同様であり、前枠３、開閉扉１４の開閉等も円滑に行うことができる。
【００４６】
例えば、開閉扉１４側の場合には、上側の下のヒンジ手段１７では図７、図８（ｃ）に示すように支持ブラケット３６のヒンジ軸３６ａの左側が回動ブラケット４０のヒンジ孔４０ａの内面に当接し、下側のヒンジ手段１８では図７、図８（ｄ）に示すように回動ブラケット４１のヒンジ軸４１ａの左側が支持ブラケット３７のヒンジ孔３７ａの内面に当接する。
【００４７】
そして、開閉扉１４の開閉に際しては、支持ブラケット３６のヒンジ軸３６ａと支持ブラケット３７のヒンジ孔３７ａの中心間を結ぶ軸心を回動中心として回動する。従って、開閉扉１４側においても、ガラス扉１３と同様にその自由端側の垂れ下がり等を防止して円滑に開閉できる。
【００４８】
またガラス扉１３用の下側のヒンジ手段１６と開閉扉１４用の上側のヒンジ手段１７との支持ブラケット３６を共通に使用し、この支持ブラケット３６の上下両側に突出するヒンジ軸３６ａを設けているので、この支持ブラケット３６のヒンジ軸３６ａを基準に、ガラス扉１３、開閉扉１４に対する上下の回動ブラケット３９，４０のヒンジ中心の位置を決定すればよいので、各位置の設定を容易に行うことができる。
【００４９】
例えばガラス扉１３、開閉扉１４の左右幅が略同じ場合には、共通の支持ブラケット３６のヒンジ軸３６ａが嵌合する回動ブラケット３９，４０のヒンジ孔３９ａ，４０ａは、ガラス扉１３、開閉扉１４に対して略同一位置とし、これを基準に回動ブラケット３９，４０のヒンジ孔３９ａ，４０ａの位置を決定すればよい。
【００５０】
図９は本発明の第２の実施形態を例示する。この実施形態では、ガラス扉１３用の上下のヒンジ手段１５，１６の回動ブラケット３８，３９のヒンジ軸３８ａ及びヒンジ孔３９ａ、開閉扉１４用の上下側のヒンジ手段１７，１８の回動ブラケット４０，４１のヒンジ孔４０ａ及びヒンジ軸４１ａは、図９（ｂ）に示すように、上下方向の略同一軸心上に配置されている。
【００５１】
一方、ガラス扉１３用の上側のヒンジ手段１５の支持ブラケット３５のヒンジ孔３５ａ（ヒンジ中心）は、図９（ａ）に示すように、下側のヒンジ手段１６の支持ブラケット３６のヒンジ軸３６ａ（ヒンジ中心）よりも外枠２に対して反自由端側に偏位量Ａ２だけ偏位している。また開閉扉１４用の上側のヒンジ手段１７の支持ブラケット３６のヒンジ軸３６ａ（ヒンジ中心）も、図９（ａ）に示すように、下側のヒンジ手段１８の支持ブラケット３７のヒンジ孔３７ａ（ヒンジ中心）よりも外枠２に対して自由端側に偏位量Ａ３だけ偏位している。
【００５２】
つまり、支持ブラケット３６のヒンジ軸３６ａを中心に支持ブラケット３５のヒンジ中心は外枠２に対して前枠３の反自由端側に、支持ブラケット３７のヒンジ中心は外枠２に対して前枠３の自由端側に夫々偏位量Ａ２，Ａ３だけ偏位している。この場合の偏位量Ａ２，Ａ３は第１の実施形態と同様であり、上下のヒンジ手段１５，１６、１７，１８の遊び量と鉛直方向の加重によるガラス扉１３、開閉扉１４の撓み量とに見合う寸法になっている。他の構成は第１の実施形態と同様である。
【００５３】
この場合には、ガラス扉１３は上側のヒンジ手段１５の支持ブラケット３５のヒンジ孔３５ａの中心と下側のヒンジ手段１６の支持ブラケット３６のヒンジ軸３６ａとを結ぶ傾斜軸心廻りに、また開閉扉１４は上側のヒンジ手段１７の支持ブラケット３６のヒンジ軸３６ａの中心と下側のヒンジ手段１８の支持ブラケット３７のヒンジ孔３７ａとを結ぶ傾斜軸心廻りに夫々開閉する。
【００５４】
従って、ガラス扉１３、開閉扉１４が閉位置の近傍にある場合には、上下のヒンジ手段１５，１６、１７，１８の遊び及びガラス扉１３、開閉扉１４の撓みに伴う自由端側の垂れ下がりを防止することができるので、ガラス扉１３、開閉扉１４を円滑に開閉することができる。またガラス扉１３、開閉扉１４は上側が反自由端側に傾斜する傾斜軸心廻りに回動するため、開き勝手に回動する。
【００５５】
図１０は本発明の第３の実施形態を例示する。この実施形態では、ガラス扉１３用の上側のヒンジ手段１５の内、その支持ブラケット３５のヒンジ中心は、図１０（ａ）に示すように、下側のヒンジ手段１６の支持ブラケット３６のヒンジ中心よりも前枠３の反自由端側へと寸法Ａ２１だけ偏位し、その回動ブラケット３８のヒンジ中心は、図１０（ｂ）に示すように、下側のヒンジ手段１６の回動ブラケット３９のヒンジ中心よりもガラス扉１３の自由端側へと寸法Ａ２２だけ偏位している。
【００５６】
また同様に開閉扉１４用の下側のヒンジ手段１８の内、その支持ブラケット３７のヒンジ中心は、図１０（ａ）に示すように、上側のヒンジ手段１７の支持ブラケット３６のヒンジ中心よりも前枠３の自由端側へと寸法Ａ３１だけ偏位し、その回動ブラケット４１のヒンジ中心は、図１０（ｂ）に示すように、上側のヒンジ手段１７の回動ブラケット４０のヒンジ中心よりもガラス扉１３の反自由端側へと寸法Ａ３２だけ偏位している。
【００５７】
ガラス扉１３側のヒンジ中心の寸法Ａ２１＋Ａ２２の偏位量は、ガラス扉１３用の上下のヒンジ手段１５，１６の遊び量とガラス扉１３の撓み量に相当するものであり、また開閉扉１４側のヒンジ中心の寸法Ａ３１＋Ａ３２の偏位量は、開閉扉１４用の上下のヒンジ手段１７，１８の遊び量と開閉扉１４の撓み量に相当するものである。なお、寸法Ａ２１＜寸法Ａ２２、寸法Ａ３１＜寸法Ａ３２であることが望ましい。他の構成は第１の実施形態と同様である。
【００５８】
このように前枠３側の各支持ブラケット３５，３６、３６，３７のヒンジ中心と、ガラス扉１３及び開閉扉１４側の各回動ブラケット３８，３９、４０，４１のヒンジ中心とを互いに逆方向に偏位して配置することによっても、ガラス扉１３、開閉扉１４の垂れ下がり等を防止することができる。
【００５９】
図１１は本発明の第４の実施形態を例示する。この実施形態では、ガラス扉１３用の上側のヒンジ手段１５の内、その支持ブラケット３５のヒンジ中心は、図１１（ａ）に示すように、下側のヒンジ手段１６の支持ブラケット３６のヒンジ中心よりも前枠３の自由端側へと寸法Ｘ１だけ偏位し、その回動ブラケット３８のヒンジ中心は、図１１（ｂ）に示すように、下側のヒンジ手段１６の回動ブラケット３９のヒンジ中心よりもガラス扉１３の自由端側へと寸法Ｘ２だけ偏位している。
【００６０】
また同様に開閉扉１４用の下側のヒンジ手段１８の内、その支持ブラケット３７のヒンジ中心は、図１１（ａ）に示すように、上側のヒンジ手段１７の支持ブラケット３６のヒンジ中心よりも前枠３の反自由端側へと寸法Ｙ１だけ偏位し、その回動ブラケット４１のヒンジ中心は、図１１（ｂ）に示すように、上側のヒンジ手段１７の回動ブラケット４０のヒンジ中心よりもガラス扉１３の反自由端側へと寸法Ｙ２だけ偏位している。他の構成は第１の実施形態と同様である。
【００６１】
このように前枠３側の支持ブラケット３５，３６，３７のヒンジ中心が偏位する場合でも、ガラス扉１３側、開閉扉１４側の回動ブラケット３８，３９、４０，４１のヒンジ中心を寸法Ｘ２−寸法Ｘ１＝偏位量Ａ２、寸法Ｙ２−寸法Ｙ１＝偏位量Ａ３となるように偏位して配置することにより、ガラス扉１３、開閉扉１４の垂れ下がり等を防止することができる。またこの実施形態では、ガラス扉１３、開閉扉１４は上側が自由端側に傾斜する傾斜軸心廻りに回動するため、閉まり勝手に回動する。
【００６２】
従って、ガラス扉１３用の上下のヒンジ手段１５，１６、開閉扉１４用の上下のヒンジ手段１７，１８を設けるに当たっては、その前枠３側に設けられる支持ブラケット３５，３６，３７のヒンジ中心は、必ずしも上下方向の略同一直線上に配置しなくてもよい。
【００６３】
以上、本発明の実施形態について詳述したが、本発明はこれらの実施形態に限定されるものではなく、本発明の趣旨を逸脱しない範囲で種々の変更が可能である。例えば、ガラス扉１３用のヒンジ手段１５，１６ではその支持ブラケット３５，３６を前枠３に、回動ブラケット３８，３９をガラス扉１３に夫々固定し、また開閉扉１４用のヒンジ手段１７，１８ではその支持ブラケット３６，３７を前枠３に、回動ブラケット４０，４１を開閉扉１４に夫々固定しているが、各支持ブラケット３５，３６，３７、回動ブラケット３８，３９、４０，４１は前枠３、ガラス扉１３、開閉扉１４に一体に設けてもよい。
【００６４】
共通の支持ブラケット３６にはその上下両側に突出するヒンジ軸３６ａを設けているが、上下方向の同一軸心上に形成されたヒンジ孔により構成することもできる。また共通の支持ブラケット３６の上下方向の一方にヒンジ軸を、他方にヒンジ孔を設けてもよい。
【００６５】
各ヒンジ手段１５，１６、１７，１８の支持ブラケット３５，３６，３７側のヒンジ中心、回動ブラケット３８，３９、４０，４１側のヒンジ中心は、その相対応するヒンジ中心の一方がヒンジ軸であり、他方がヒンジ孔となる組み合わせであれば十分である。
【００６６】
またガラス扉１３、開閉扉１４は上下方向に３個以上のヒンジ手段を介して枢着してもよい。更に実施形態では、上扉としてパチンコ機のガラス扉１３を、下扉としてパチンコ機の開閉扉１４を、扉装着枠としてパチンコ機の前枠３を夫々例示しているが、パチンコ機等の弾球遊技機に限定されるものではなく、上扉と下扉とを上下に近接して配置する形態の遊技機であれば、スロットマシン等の他の遊技機に置いても同様に実施することが可能である。
【００６７】
例えば筐体の前面に開閉自在に配置された前面パネルを備え、この前面パネルに、回転リール式、その他の遊技図柄表示手段の前面に配置された表示窓扉と、この表示窓扉の上側又は下側に近接して配置された別の扉とを開閉自在に枢着したスロットマシン、或いは筐体の前面に上前面パネルと下前面パネルとを開閉自在に枢着したスロットマシン等でも同様に実施可能である。
【００６８】
また実施形態では、上扉、下扉が鉛直方向の軸心廻りに開閉する場合を基本にして説明したが、スロットマシンの前面パネルのように、上側が後となり下側が前となる等、前後方向の何れかに傾斜する縦軸心廻りに各扉が開閉する場合でも、その各扉用の上側のヒンジ手段１５，１７の各扉側の回動ブラケット３８，４０のヒンジ中心を各扉用の下側のヒンジ手段１６，１８の各扉側の回動ブラケット３９，４１のヒンジ中心よりも、各扉用の上下のヒンジ手段１５，１６、１７，１８の遊び量と鉛直方向の加重による各扉の撓み量とに見合う寸法だけ各扉に対して自由端側に偏位して配置する等することにより同様に実施可能である。
【符号の説明】
【００６９】
３    前枠（扉装着枠）
７  下セット板
１０  遊技盤
１３  ガラス扉（上扉）
１４  開閉扉（下扉）
１５〜１８  ヒンジ手段
３５，３６，３７  支持ブラケット
３５ａ  ヒンジ孔
３６ａ，３８ａ，４１ａ  ヒンジ軸
３７ａ  ヒンジ孔
３８〜４１  回動ブラケット
【図１】
2011005123.tif 000003
【図２】
2011005123.tif 000004
【図３】
2011005123.tif 000005
【図４】
2011005123.tif 000006
【図５】
2011005123.tif 000007
【図６】
2011005123.tif 000008
【図７】
2011005123.tif 000009
【図８】
2011005123.tif 000010
【図９】
2011005123.tif 000011
【図１０】
2011005123.tif 000012
【図１１】
2011005123.tif 000013